(57)【要約】【課題】テント骨組に対しての幕体の取り付けや取り外しが容易にできる折り畳みテント及び折り畳みテントの天幕保持部材を提供することを課題とする。【解決手段】折り畳みテントを構成する、パイプ材からなるテント骨組Ｆに対して、天幕や側幕などの幕体Ｓを取り付けるための、折り畳みテントの幕体取付部材１において、テント骨組Ｆを挟み込むようにして固定するための骨組固定部２と、取付紐Ｒを固定するための紐固定部３とを有するものであり、紐固定部３は、幕体Ｓに取り付けられた取付紐Ｒを通すための挿通部と、挿通部に通された取付紐Ｒを挟み込んで固定できる紐挟持部とを有することを特徴とする折り畳みテントの幕体取付部材を提供する。【選択図】          図８
2005226229.tif 000002
【特許請求の範囲】
【請求項１】
パイプ材からなる複数の支柱（Ｆ１）と、支柱（Ｆ１）に接続されたフレーム（Ｆ２，Ｆ３）とからなるテント骨組（Ｆ）により、樹脂シートからなる天幕（Ｓａ）や側幕（Ｓｂ）などの幕体（Ｓ）が支持された折り畳みテントにおいて、
幕体（Ｓ）には、テント骨組（Ｆ）に対して取り付けるための取付紐（Ｒ）が設けられており、
この取付紐（Ｒ）には、取付部材（１）が設けられたものであり、
この取付部材（１）は、テント骨組（Ｆ）を挟み込むようにして固定するための骨組固定部（２）と、
取付紐（Ｒ）を固定するための紐固定部（３）とを有するものであることを特徴とする、折り畳みテント。
【請求項２】
折り畳みテントを構成する、パイプ材からなる複数の支柱（Ｆ１）と、支柱（Ｆ１）に接続されたフレーム（Ｆ２，Ｆ３）とからなるテント骨組（Ｆ）に対して天幕（Ｓａ）や側幕（Ｓｂ）などの幕体（Ｓ）を取り付けるための、折り畳みテントの幕体取付部材（１）において、
テント骨組（Ｆ）を挟み込むようにして固定するための骨組固定部（２）と、
取付紐（Ｒ）を固定するための紐固定部（３）とを有するものであり、
紐固定部（３）は、幕体（Ｓ）に取り付けられた取付紐（Ｒ）を通すための挿通部（４）と、
この挿通部（４）に接近して設けられたものであり、挿通部（４）に通された取付紐（Ｒ）を挟み込んで固定できる紐挟持部（５）とを有することを特徴とする折り畳みテントの幕体取付部材。
【請求項３】
上記の挿通部（４）は、骨組固定部（２）の側面に形成された筒状のものであり、
上記の紐挟持部（５）は、挿通部（４）に隣接するものであり、対向する２枚の挟持板（５１ａ，５１ｂ）を有するものであって、
紐挟持部（５）は、挿通部（４）において取付紐（Ｒ）が配位される方向に対して、上記の挟持板（５１ａ，５１ｂ）が平行に形成されており、
挿通部（４）の側面の一部には、挿通部（４）の内部の空間（４１）と、上記の各挟持板（５１ａ，５１ｂ）の間の空間（５２）とを連通させるための切込部（４３）が形成されたものであって、
取付紐（Ｒ）を挿通部（４）に通した状態で折り返し、上記の切込部（４３）と紐挟持部（５）における各挟持板（５１ａ，５１ｂ）とで挟むことによって、取付紐（Ｒ）を固定可能であることを特徴とする、請求項２に記載の折り畳みテントの幕体取付部材。
【発明の詳細な説明】
【技術分野】
【０００１】
本願発明は、例えば野外行事などの際に設営される、折り畳みテントに関するものである。
【背景技術】
【０００２】
【特許文献１】特開２００３−３２１９５１号公報
【０００３】
従来より、複数の支柱と、支柱に接続されたフレームとからなるテント骨組により天幕が支持される構造の折り畳みテントが広く用いられている。
これらの折り畳みテントとしては、例えば特許文献１に示されたものがあり、地面などの設置面から上方に伸びる支柱に対し、支柱同士を連結するようにして蛇腹状のフレームが設けられている。そして、この折り畳みテントの屋根となる天幕が、上記のフレームにより支持される。また場合によっては、折り畳みテントの側壁となる側幕が設けられることもある。
【発明の開示】
【発明が解決しようとする課題】
【０００４】
上記の天幕や側幕などの幕体の取り付けは、幕体に取り付けられた取付紐をテント骨組に結びつけることによって行われる。このため、折り畳みテントの設営の際には、その都度この紐を結ぶ必要があり、また、折り畳みテントの撤収の際には、その都度紐を解く必要があって面倒であった。
【０００５】
特に、特許文献１に記載の発明に係る折り畳みテントにおいては、フレームの構造を改良することにより、テント骨組を広げたり畳んだりする作業について、従来の折り畳みテントに比べて非常に迅速にできるようになされたものであるが、上記のように、テント骨組に対しての幕体の取り付けや取り外しに時間を要するものであると、折り畳みテント全体の設営や撤収に影響が出るため、好ましいものではなかった。
【０００６】
本願発明はこのことに鑑み、テント骨組に対しての幕体の取り付けや取り外しが容易にできる折り畳みテント及び折り畳みテントの幕体保持部材を提供することを課題とする。
【課題を解決するための手段】
【０００７】
上記課題を解決するために、本願の請求項１に記載の発明は、パイプ材からなる複数の支柱Ｆ１と、支柱Ｆ１に接続されたフレームＦ２，Ｆ３とからなるテント骨組Ｆにより、樹脂シートからなる天幕Ｓａや側幕Ｓｂなどの幕体Ｓが支持された折り畳みテントにおいて、幕体Ｓには、テント骨組Ｆに対して取り付けるための取付紐Ｒが設けられており、この取付紐Ｒには、取付部材１が設けられたものであり、この取付部材１は、テント骨組Ｆを挟み込むようにして固定するための骨組固定部２と、取付紐Ｒを固定するための紐固定部３とを有するものであることを特徴とする折り畳みテントを提供する。
【０００８】
また、本願の請求項２に記載の発明は、折り畳みテントを構成する、パイプ材からなる複数の支柱Ｆ１と、支柱Ｆ１に接続されたフレームＦ２，Ｆ３とからなるテント骨組Ｆに対して天幕Ｓａや側幕Ｓｂなどの幕体Ｓを取り付けるための、折り畳みテントの幕体取付部材１において、テント骨組Ｆを挟み込むようにして固定するための骨組固定部２と、取付紐Ｒを固定するための紐固定部３とを有するものであり、紐固定部３は、幕体Ｓに取り付けられた取付紐Ｒを通すための挿通部４と、この挿通部４に接近して設けられたものであり、挿通部４に通された取付紐Ｒを挟み込んで固定できる紐挟持部５とを有することを特徴とする折り畳みテントの幕体取付部材を提供する。
【０００９】
また、本願の請求項３に記載の発明は、上記の挿通部４は、骨組固定部２の側面に形成された筒状のものであり、上記の紐挟持部５は、挿通部４に隣接するものであり、対向する２枚の挟持板５１ａ，５１ｂを有するものであって、紐挟持部５は、挿通部４において取付紐Ｒが配位される方向に対して、上記の挟持板５１ａ，５１ｂが平行に形成されており、挿通部４の側面の一部には、挿通部４の内部の空間４１と、上記の各挟持板５１ａ，５１ｂの間の空間５２とを連通させるための切込部４３が形成されたものであって、取付紐Ｒを挿通部４に通した状態で折り返し、上記の切込部４３と紐挟持部５における各挟持板５１ａ，５１ｂとで挟むことによって、取付紐Ｒを固定可能であることを特徴とする、請求項２に記載の折り畳みテントの幕体取付部材を提供する。
【発明の効果】
【００１０】
本願の請求項１に記載の発明の実施にあっては、取付部材１の骨組固定部２をテント骨組Ｆを挟み込むようにして固定するだけで、天幕Ｓａや側幕Ｓｂなどの幕体Ｓをテント骨組Ｆに取り付けることができるため、テント骨組Ｆに対しての幕体Ｓの取り付けや取り外しが容易にでき、誰でも幕体Ｓを固定する作業が簡単にできて便利であり、短時間で均一の作業ができる折り畳みテントを提供することができる。
【００１１】
また、本願の請求項２に記載の発明の実施にあっては、取付部材１の骨組固定部２をテント骨組Ｆを挟み込むようにして固定するだけで、天幕Ｓａや側幕Ｓｂなどの幕体Ｓをテント骨組Ｆに取り付けることができるため、テント骨組Ｆに対しての幕体Ｓの取り付けや取り外しが容易にでき、、誰でも幕体Ｓを固定する作業が簡単にできて便利であり、短時間で均一の作業ができる。また、紐固定部３が、挿通部４と紐挟持部５とを有することにより、取付紐Ｒを取付部材１に、調整した寸法にて簡単に固定可能であって、取付紐Ｒが伸びた際の再調整も簡単にできる。
【００１２】
また、本願の請求項３に記載の発明の実施にあっては、上記請求項２に記載の発明の効果に加え、挿通部４の側面の一部に、挿通部４の内部の空間４１と、紐挟持部５の挟持板５１ａ，５１ｂの間の空間５２とを連通させるための切込部４３が形成されたことにより、挿通部４と紐挟持部５との間で取付紐Ｒの折り返された部分が挿通部４や紐挟持部５からはみ出ることがなく、外観を損なうことがない。
【発明を実施するための最良の形態】
【００１３】
以下、図面に基づき本願発明の実施の形態の一例をとりあげて説明する。図１は、本例に係る折り畳みテントのテント骨組Ｆを示す図であり、図２は本例に係る折り畳みテントであって、幕体Ｓを張った状態を示す図であり、図３ないし図５は本例に係る幕体取付部材１を示す図である。
【００１４】
まず、本例に係る折り畳みテントについて説明する。この折り畳みテントにおけるテント骨組Ｆは、図１に示すように、支柱Ｆ１と、支柱Ｆ１に接続されたフレームである外周フレームＦ２及び補強フレームＦ３と、中心支柱Ｆ４などを組み合わせたものであり、これらの上部に軟質樹脂などからなる天幕Ｓａや側幕Ｓｂなどの幕体Ｓを、図２に示すようにテント骨組Ｆに取り付けることによって、日差しや雨水や風などを避けることができるものである。
【００１５】
支柱Ｆ１は、一端が地面などの設置面に、他端が上方にそれぞれ配位される棒状のものである。本例においては、折り畳みテント１基につき支柱Ｆ１が４本用いられており、この支柱Ｆ１は、四角形の頂点の位置であって、地面などの設置面に対して垂直に立てられる。この支柱Ｆ１の材質としては、本例においては直線状である中空の角パイプが用いられている。
【００１６】
外周フレームＦ２は、隣り合う支柱Ｆ１の上部同士を連結する、外観が蛇腹状のものであって、外周フレームＦ２と支柱Ｆ１との間、そして外周フレームＦ２同士の間は回動可能に接続されている。これにより、１対の支柱Ｆ１同士の間隔を近づけたり遠ざけたりする動きに伴って、外周フレームＦ２を折り畳んだり広げたりすることができる。この外周フレームＦ２は、平面視において、支柱Ｆ１の位置を頂点とする多角形の各辺を構成し、これにより折り畳みテントの外周形状が規定される。
【００１７】
また、補強フレームＦ３は、外周フレームＦ２によって規定された四角形の中心方向に向かうように配位される。そして、この四角形の中心である、補強フレームＦ３の交点には垂直方向に伸びる中心支柱Ｆ４が設けられ、天幕Ｓａはここで支持される。この補強フレームＦ３の構造は、本例では外周フレームＦ２と同様であり、対角線上にある１対の支柱Ｆ１同士の間隔を近づけたり遠ざけたりする動きに伴って、補強フレームＦ３を折り畳んだり広げたりすることができる。
【００１８】
天幕Ｓａは、支柱Ｆ１の一部、外周フレームＦ２、補強フレームＦ３、中心支柱Ｆ４のそれぞれを覆うようにして、図２に示すように配位され、折り畳みテントの屋根を構成する。そして、中心支柱Ｆ４の部分が折り畳みテントの屋根の頂部となる。
また、側幕Ｓｂは、必要に応じて、支柱Ｆ１と外周フレームＦ２とに支持されるようにして取り付けられるものであり、折り畳みテントの側壁を構成する。
【００１９】
なお、上記で説明したテント骨組Ｆの形態はほんの一例であって、本願発明は、図１に示したテント骨組Ｆを有する折り畳みテントに限定して適用されるものではない。すなわち、本願発明は、パイプ材からなる複数の支柱と、支柱に接続されたフレームとからなるテント骨組Ｆにより、樹脂シートからなる幕体Ｓが支持された折り畳みテントについて広く適用が可能である。
【００２０】
次に幕体取付部材１について説明する。この幕体取付部材１は、上記の天幕Ｓａや側幕Ｓｂなどの幕体Ｓを上記の支柱Ｆ１や外周フレームＦ２などのテント骨組Ｆに取り付けるためのものである。
この幕体取付部材１は、テント骨組Ｆを挟み込むようにして固定するための骨組固定部２と、取付紐Ｒを固定するための紐固定部３とを有する。
【００２１】
骨組固定部２は、図３（Ａ）において左側に示された第１側部２１、同上側に示された第２側部２２、同右側に示された第３側部２３、の３つの部分が「コ」の字形状に構成されたものであり、各側部２１〜２３に囲まれた空間である骨組受容空間２４に、テント骨組Ｆが配位され、図８に示す状態となる。
【００２２】
なお、第１側部２１と第３側部２３とは、先端側（図３（Ａ）における下方）に向かうほど両者の間が接近するものとされている。すなわち、骨組受容空間２４が先端側に向かうにつれ狭くなる。よって、本例のように断面が四角形のパイプ材からなるテント骨組Ｆを、図８に示すように骨組受容空間２４に配位した場合、第１側部２１と第３側部２３の各々先端部分がテント骨組Ｆによって押し広げられる。この状態において、この変形した第１側部２１と第３側部２３がテント骨組Ｆを押圧する力が生じることにより、テント骨組Ｆに対して、幕体取付部材１が不意に脱落することなく取り付け可能である。一方、図４（Ａ）に示すように、第１側部２１と第３側部２３の内面には突起等は存在しないため、上記とは逆に、幕体取付部材１をテント骨組Ｆから取り外す際には、特に引っ掛かりもなく、簡単に取り外すことができる。
【００２３】
本例における骨組固定部２は、テント骨組Ｆとして、断面が四角形のパイプ材を使用するため、これに合わせて「コ」の字形状のものとされているが、骨組固定部２の形状はこれに限られるものでなく、例えば、テント骨組Ｆとして断面円形のパイプ材を用いた、従来から存在する学校行事用などのテントに使用する場合、図６に示すように断面略「Ω」の字形状などの、円形パイプの少なくとも一部をホールド可能な形状とするなど、種々に変更して実施し得る。
【００２４】
紐固定部３は、幕体Ｓに取り付けられた取付紐Ｒを通すための挿通部４と、この挿通部４に接近して設けられ、挿通部４に通された取付紐Ｒを挟み込んで固定できる紐挟持部５とを有するものである。
【００２５】
挿通部４は、本例においては、骨組固定部２の第１側部２１の、骨組受容空間２４とは反対側である外側面に形成された筒状のものである。この挿通部４は、後述する紐挟持部５に取付紐Ｒを導くべく、幕体取付部材１に沿わせるように配位させるためのものであり、本例以外の他の形態として、例えば図７（Ａ）に示したようにリング状のものとしても良いし、図７（Ｂ）に示したようにフック状のものとしても良く、種々の形態で実施が可能である。
また、本例では骨組固定部２における第１側部２１に挿通部４を設けたが、他の部分に設けても良く、種々に変更して実施し得る。また、本例の挿通部４において、後述する紐挟持部５の挟持板５１ａ，５１ｂが設けられる部分である挟持板形成部４２は、図３（Ｂ）及び図４（Ｂ）及び図５（Ａ）に示すように平板状に形成されているが、これに限定されるものではなく、曲面状に形成しても良い。
【００２６】
紐挟持部５は挿通部４に隣接して設けられている。本例では、上記の挿通部４の一部である挟持板形成部４２に突出するようにして設けられた２枚の挟持板５１ａ，５１ｂを有する部分である。この挟持板５１ａ，５１ｂは、上記の挿通部４において取付紐Ｒが配位される方向に対して平行に形成された板状のものが並列に配位され、各挟持板５１ａ，５１ｂの内面間の寸法が取付紐Ｒの直径よりも小さく形成されたものであって、この２枚の挟持板５１ａ，５１ｂの間の紐挟持空間５２に取付紐Ｒを配位し、各挟持板５１ａ，５１ｂで挟み込むことによって、取付紐Ｒを固定できる。
【００２７】
ここで、図５（Ａ）（Ｂ）に示すように、この紐挟持空間５２は、上方部５２ａ、前側方部５２ｂ、下方部５２ｃの３方において外部と連通している。また、紐挟持空間５２の後側方部には挿通部４の挟持板形成部４２が存在している。
【００２８】
そして、挿通部４における挟持板形成部４２の一部（図３（Ａ）における上側）であって、上記の紐挟持空間５２との間には、図３や図５に示すように、切込空間４３ａを有する切込部４３が形成されている。これは、切込部４３の対向する内面（図３（Ａ）（Ｂ）に示した、左内面４３ｂと右内面４３ｃ）の間の寸法が取付紐Ｒの直径よりも小さく形成されたものであって、一端側（図３（Ａ）や図５（Ａ）における上側）が開放されている。本例においてはこの切込空間４３ａによって、挿通部内部空間４１と紐挟持空間５２とが連通しているが、挿通部内部空間４１及び紐挟持空間５２と切込部４３との関係はこれに限られず、図７（Ａ）（Ｂ）に示すように、挿通部内部空間４１と紐挟持空間５２とを結ぶ経路（取付紐Ｒを通すための経路）上に切込部４３（切込空間４３ａ）が存在すれば良い。
【００２９】
なお、挟持板形成部４２の形状については、後述のように、取付紐Ｒを折り返すようにした際に、取付紐Ｒの折り返した部分が引っ掛かって保持することのできるものであれば良く、図３（Ａ）などに示したような板状のものに限られず、図７（Ｃ）に示すようなＨ形状や梯子状に形成しても良い。また、図７（Ｄ）に示すように紐挟持空間５２の後側方部を空間としておき、別体のピン４２’などを配位することにより、このピン４２’などで取付紐Ｒの折り返した部分を引っ掛けることのできるようにしても良い。
【００３０】
取付紐Ｒを幕体取付部材１に対して取り付けるには、まず、図９（Ａ）に示すように、取付紐Ｒを挿通部内部空間４１に通した状態とし、取付紐Ｒを切込部４３の部分で図示下方に折り返し、紐挟持空間５２の上方部５２ａ、前側方部５２ｂ、下方部５２ｃの順に上方から巻き付けるようにして、取付紐Ｒを紐挟持空間５２に配位し、図１０（Ａ）（Ｂ）に示した状態とする。
【００３１】
この状態では、切込部４３にはまだ完全に取付紐Ｒが入り込んでおらず、幕体取付部材１の、図示上方に一部がはみ出ている。ここで、取付紐Ｒは可撓性を有するため、図１０（Ａ）（Ｂ）に示す矢印方向に取付紐Ｒを引っ張ることにより、取付紐Ｒを変形させ、図９（Ｂ）に示すように、切込部４３に完全に取付紐Ｒが入り込み、切込部４３の切込空間４３ａと紐挟持空間５２に、はみ出ることなく配位することができる。これによって、外観を損なわないようにできる。
なお、この状態において、取付紐Ｒは、挿通部内部空間４１−切込部４３の切込空間４３ａ−紐挟持空間５２の上方部５２ａ−同前側方部５２ｂ−同下方部５２ｃの順に配位される。
【００３２】
なお本例では、図３（Ａ）に示したように、紐挟持部５における紐挟持空間５２及び切込部４３の図示左右方向の寸法が同一に形成されている。そして、紐挟持空間５２及び切込部４３の一端側（図３（Ａ）における上側）は、図３（Ａ）に示すように広がった形状とされている。これにより、取付紐Ｒを挿通部４から紐挟持部５にわたるように折り返した際に、取付紐Ｒが切込部４３と紐挟持空間５２とへ容易に配位することができる。
【００３３】
上記の幕体取付部材１は、図８に示すように、折り畳みテントのテント骨組Ｆに骨組固定部２を嵌め込むことにより使用する。
ここで、天幕Ｓａや側幕Ｓｂなどの幕体Ｓには、取付紐Ｒが取り付けられている。なお、取付紐Ｒは可撓性を有するものであれば良く、材質は特に限定されない。
天幕Ｓａについては、天幕Ｓａに取り付けられた舌部Ｓ１に設けられた取り付け孔Ｓ２に、取付紐Ｒが通されている。図示した例においては、図１１（Ａ）に示したように、取付紐Ｒの一端部を接着するなどしてあらかじめ輪状部Ｒ１を形成しておき、その輪状部Ｒ１に取付紐Ｒの他端部を通すことによって、図１１（Ｂ）に示したように、取付紐Ｒを舌部Ｓ１に取り付ける。また、側幕Ｓｂについては、図１３に示したように、側幕Ｓｂに取り付け孔Ｓ２が直接設けられ、取付紐Ｒが通されている。
【００３４】
本例においては、上記のように幕体Ｓに取り付けられた取付紐Ｒの先端部に、図９に示すように幕体取付部材１が取り付けられる。まず、図９（Ａ）に示すように、幕体取付部材１の挿通部４における挿通部内部空間４１に取付紐Ｒを通す。そして、幕体Ｓの取り付け孔Ｓ２と幕体取付部材１との間の取付紐Ｒを所定の長さに決めた上で、図９（Ｂ）に示すように、挿通部４の図示上方に出た部分の取付紐Ｒを下方に折り返す。これにより取付紐Ｒは、切込部４３と紐挟持部５の挟持板５１ａ，５１ｂとの各々に挟み込まれて確実に固定される。そして最後に、取付紐Ｒの端末処理として、図９（Ｃ）に示すように、取付紐Ｒが結ばれる。なお、この取付紐Ｒの端末処理は幕体取付部材１の取り付けに際して必須のものではなく、図９（Ｂ）に示す状態のままでも良い。
なお、上記のように、取付紐Ｒを折り返して固定する作業は、折り畳みテントを初めて設営する際にのみ行えば良く、その後は、取付紐Ｒが伸びた時などに適宜再調整すれば良い。なお、この再調整も上記と同様にすれば良く、簡単に行うことができる。
【００３５】
上記のようにして、幕体Ｓに取り付けられた幕体取付部材１を、図１に示したテント骨組Ｆに取り付け、図２のような状態とする。
ここで天幕Ｓａを取り付ける際には、半開状態としたテント骨組Ｆに天幕Ｓａを広げた状態で載せ、その状態でテント骨組Ｆを全開させ、その後、天幕Ｓａに設けられた幕体取付部材１の骨組固定部２を外周フレームＦ２に嵌め込み、図１２に示すように取り付ける。
また、側幕Ｓｂを取り付ける際には、テント骨組を全開状態とした上で、側幕Ｓｂに設けられた幕体取付部材１の骨組固定部２を外周フレームＦ２に嵌め込み、図１３に示すようにして取り付ける。なお図１３には示していないが、幕体取付部材１を支柱Ｆ１にも取り付け、側幕Ｓｂの側辺を固定することもできる。
【００３６】
従来の折り畳みテントにおいては、幕体Ｓに取り付けられた取付紐Ｒを直接テント骨組Ｆに結び付けることによって幕体Ｓを取り付けていたが、１つの折り畳みテントにおいて取付紐Ｒを結びつける箇所が多いため、設置や撤収に手間のかかる原因となっていた。
これに対し、本願発明においては、幕体取付部材１を上記のようにあらかじめ幕体Ｓの取付紐Ｒに取り付けておくことにより、テント骨組Ｆに幕体取付部材１の骨組固定部２を嵌め込むだけで幕体Ｓを取り付けることができるため、設置や撤収が大変容易である。特に、テント骨組Ｆが、図１に示したような、広げたり畳んだりすることが容易な構造とされている場合は、これと相まって、更に効率的な設置や撤収が可能である。
【図面の簡単な説明】
【００３７】
【図１】本例に係る折り畳みテントのテント骨組を示す斜視図である。
【図２】本例に係る折り畳みテントであって、幕体を張った状態を示す斜視図である。
【図３】本例に係る幕体取付部材を示す図であり、（Ａ）は正面図、（Ｂ）は平面図、（Ｃ）は右側面図である。
【図４】本例に係る幕体取付部材を示す図であり、（Ａ）は背面図、（Ｂ）は底面図、（Ｃ）は左側面図である。
【図５】本例に係る幕体取付部材を示す図であり、（Ａ）は図３（Ａ）のＡ−Ａ矢視の断面図、（Ｂ）は斜視図である。
【図６】幕体取付部材の他の実施例を示す正面図である。
【図７】（Ａ）（Ｂ）は、幕体取付部材の他の実施例を示す斜視図であり、（Ｃ）（Ｄ）は、挟持板形成部４２の他の形状を示す説明図である。
【図８】本例に係る幕体取付部材を折り畳みテントのテント骨組に取り付けた状態を示す説明図である。
【図９】（Ａ）〜（Ｃ）とも、本例に係る幕体取付部材に取付紐を取り付ける方法を示す説明図である。
【図１０】（Ａ）は図９（Ａ）の状態から図９（Ｂ）に至る途中の状態を示す説明図であり、（Ｂ）は（Ａ）のＢ−Ｂ矢視の断面図である。
【図１１】（Ａ）（Ｂ）とも、本例に係る天幕に取付紐を取り付ける方法を示す説明図である。
【図１２】本例に係るテント骨組に天幕を取り付けた状態を示す説明図である。
【図１３】本例に係るテント骨組に側幕を取り付けた状態を示す説明図である。
【符号の説明】
【００３８】
１              取付部材
２              骨組固定部
３              紐固定部
４              挿通部
４１            挿通部内部空間
４３            切込部
５              紐挟持部
５１ａ，５１ｂ  挟持板
５２            挟持板間の空間
Ｆ              テント骨組
Ｆ１            支柱
Ｆ２            外周フレーム
Ｆ３            補強フレーム
Ｒ              取付紐
Ｓ              幕体
Ｓａ            天幕
Ｓｂ            側幕
【図１】
2005226229.tif 000003
【図２】
2005226229.tif 000004
【図３】
2005226229.tif 000005
【図４】
2005226229.tif 000006
【図５】
2005226229.tif 000007
【図６】
2005226229.tif 000008
【図７】
2005226229.tif 000009
【図８】
2005226229.tif 000010
【図９】
2005226229.tif 000011
【図１０】
2005226229.tif 000012
【図１１】
2005226229.tif 000013
【図１２】
2005226229.tif 000014
【図１３】
2005226229.tif 000015